【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
他の装置と通信する通信手段と、
発呼側の電話番号を受信する電話番号受信手段と、
通信をしないようにする発呼側の電話番号を１以上格納する電話番号格納手段と、
前記電話番号受信手段によって受信した発呼側の電話番号が前記電話番号格納手段に格納されている場合には通信しないように制御する制御手段と、を備えた通信装置。
【請求項２】
前記電話番号受信手段によって受信した電話番号を前記電話番号格納手段に格納する格納手段を備えたことを特徴とする請求項１に記載の通信装置。
【請求項３】
前記電話番号受信手段によって受信した電話番号を記憶する電話番号記憶手段を備え、
前記格納手段は、前記電話番号記憶手段に記憶されている電話番号を前記電話番号格納手段に格納することを特徴とする請求項２に記載の通信装置。
【請求項４】
前記格納手段は、所定の条件が満足した場合に自動で前記電話番号受信手段によって受信した電話番号を前記電話番号格納手段に格納することを特徴とする請求項２乃至３のいずれかに記載の通信装置。
【請求項５】
他の装置との通信を中断させる中断手段を備え、
前記所定の条件は、前記中断手段によって通信を中断させた回数であることを特徴とする請求項４に記載の通信装置。
【請求項６】
前記制御手段は、受信機能を動作させないようにすることで通信しないように制御することを特徴とする請求項１乃至５のいずれかに記載の通信装置。
【請求項７】
前記制御手段は、受信動作を制限することで通信しないように制御することを特徴とする請求項１乃至５のいずれかに記載の通信装置。
【請求項８】
電話番号を入力する入力手段を備え、
前記入力手段によって入力された電話番号を前記電話番号格納手段に格納することを特徴とする請求項１乃至７のいずれかに記載の通信装置。
【請求項９】
前記電話番号受信手段によって受信した電話番号を表示する表示手段を備えたことを特徴とする請求項１乃至８のいずれかに記載の通信装置。
【請求項１０】
発呼側の通信種別情報を受信する情報受信手段とを備え、
前記情報受信手段によって受信した通信種別情報に基づいて装置の動作を制御することを特徴とする請求項１乃至９のいずれかに記載の通信装置。
【請求項１１】
他の装置と通信する通信ステップと、
発呼側の電話番号を受信する電話番号受信ステップと、
通信をしないようにする発呼側の電話番号を電話番号格納手段に１以上格納する電話番号格納ステップと、
前記電話番号受信ステップによって受信した発呼側の電話番号が前記電話番号格納手段に格納されている場合には通信しないように制御する制御ステップと、を含む通信方法。
【請求項１２】
前記電話番号受信ステップによって受信した電話番号を前記電話番号格納手段に格納する格納ステップをさらに含むことを特徴とする請求項１１に記載の通信方法。
【請求項１３】
前記電話番号受信ステップによって受信した電話番号を電話番号記憶手段に記憶する電話番号記憶ステップをさらに含み、
前記格納ステップは、前記電話番号記憶手段に記憶されている電話番号を前記電話番号格納手段に格納することを特徴とする請求項１２に記載の通信方法。
【請求項１４】
前記格納ステップは、所定の条件が満足した場合に自動で電話番号を前記電話番号格納手段に格納することを特徴とする請求項１２乃至１３のいずれかに記載の通信方法。
【請求項１５】
他の装置との通信を中断させる中断ステップをさらに含み、
前記所定の条件は、前記中断ステップによって通信を中断させた回数であることを特徴とする請求項１４に記載の通信方法。
【請求項１６】
前記制御ステップは、受信機能を動作させないようにすることで通信しないように制御することを特徴とする請求項１１乃至１５のいずれかに記載の通信方法。
【請求項１７】
前記制御ステップは、受信動作を制限することで通信しないように制御することを特徴とする請求項１１乃至１５のいずれかに記載の通信方法。
【請求項１８】
電話番号を入力する入力ステップをさらに含み、
前記入力ステップによって入力された電話番号を前記電話番号格納手段に格納することを特徴とする請求項１１乃至１７のいずれかに記載の通信方法。
【請求項１９】
前記電話番号受信ステップによって受信した電話番号を表示手段に表示する表示ステップをさらに含むことを特徴とする請求項１１乃至１８のいずれかに記載の通信方法。
【請求項２０】
発呼側の通信種別情報を受信する情報受信ステップをさらに含み、
前記情報受信ステップによって受信した通信種別情報に基づいて装置の動作を制御することを特徴とする請求項１１乃至１９のいずれかに記載の通信方法。
【手続補正２】
【補正対象書類名】明細書
【補正対象項目名】発明の名称
【補正方法】変更
【補正の内容】
【発明の名称】通信装置および通信方法
【手続補正３】
【補正対象書類名】明細書
【補正対象項目名】０００１
【補正方法】変更
【補正の内容】
【０００１】
本発明は、通信装置および通信方法に関し、詳しくは、通常の受信を開始する前に中継局から発呼側情報を送信してもらうサービスに加入して便宜性を向上させることのできる通信装置および通信方法に関する。
【手続補正４】
【補正対象書類名】明細書
【補正対象項目名】０００５
【補正方法】変更
【補正の内容】
【０００５】
上記目的達成のため、第１の発明は、他の装置と通信する通信手段と、
発呼側の電話番号を受信する電話番号受信手段と、通信をしないようにする発呼側の電話番号を１以上格納する電話番号格納手段と、前記電話番号受信手段によって受信した発呼側の電話番号が前記電話番号格納手段に格納されている場合には通信しないように制御する制御手段と、を備えたものである。
【手続補正５】
【補正対象書類名】明細書
【補正対象項目名】０００６
【補正方法】変更
【補正の内容】
【０００６】
この第１の発明では、通信をしないようにする例えば、電話番号などの端末情報を登録しておくことにより、発ＩＤサービスにより送信されてきた発呼側情報の電話番号が前記電話番号格納手段に格納されている電話番号であるときにはその通信が行われないようにする。したがって、通信を拒否する相手先からであった場合にはその通信を自動的に拒否することができる。
【手続補正６】
【補正対象書類名】明細書
【補正対象項目名】０００７
【補正方法】変更
【補正の内容】
【０００７】
第２の発明は、第１の発明の構成に加え、前記電話番号受信手段によって受信した電話番号を前記電話番号格納手段に格納する格納手段を備えたことを特徴とするものである。
【手続補正７】
【補正対象書類名】明細書
【補正対象項目名】０００８
【補正方法】変更
【補正の内容】
【０００８】
この第２の発明では、電話番号受信手段によって受信した電話番号を電話番号格納手段に格納するので、通信を拒否する発呼側情報の電話番号を自動的に電話番号格納手段に格納することができる。
【手続補正８】
【補正対象書類名】明細書
【補正対象項目名】０００９
【補正方法】変更
【補正の内容】
【０００９】
第３の発明は、第２の発明の構成に加え、前記電話番号受信手段によって受信した電話番号を記憶する電話番号記憶手段を備え、前記格納手段は、前記電話番号記憶手段に記憶されている電話番号を前記電話番号格納手段に格納することを特徴とするものである。
【手続補正９】
【補正対象書類名】明細書
【補正対象項目名】００１０
【補正方法】変更
【補正の内容】
【００１０】
この第３の発明では、電話番号記憶手段に記憶されている電話番号を電話番号格納手段に格納するので、通信を拒否する発呼側情報の電話番号を自動的に電話番号格納手段に格納することができる。
【手続補正１０】
【補正対象書類名】明細書
【補正対象項目名】００１１
【補正方法】変更
【補正の内容】
【００１１】
第４の発明は、第２乃至３のいずれかの発明の構成に加え、前記格納手段は、所定の条件が満足した場合に自動で前記電話番号受信手段によって受信した電話番号を前記電話番号格納手段に格納することを特徴とするものである。
【手続補正１１】
【補正対象書類名】明細書
【補正対象項目名】００１２
【補正方法】変更
【補正の内容】
【００１２】
この第４の発明では、発ＩＤサービスにより受信した発呼側情報（電話番号）およびその所定の条件の情報が対応されて格納され、所定の条件が満足した場合にはその発呼側情報（電話番号）が通信をしないようにする端末情報として登録される。したがって、所定の条件が満足した場合には、その発呼側情報（電話番号）が通信をしないようにする相手先として自動登録される。
第５の発明は、第４の発明の構成に加え、他の装置との通信を中断させる中断手段を備え、前記所定の条件は、前記中断手段によって通信を中断させた回数であることを特徴とするものである。
【手続補正１２】
【補正対象書類名】明細書
【補正対象項目名】００１３
【補正方法】変更
【補正の内容】
【００１３】
この第５の発明では、発ＩＤサービスにより受信した発呼側情報（電話番号）およびその中断情報が対応されて格納され、中断回数が予め設定されている設定回数に達したときにはその発呼側情報（電話番号）が端末情報として登録される。したがって、中断実績のある端末は通信をしないようにする相手先として自動登録される。
第６の発明は、第１乃至５のいずれかの発明の構成に加え、前記制御手段は、受信機能を動作させないようにすることで通信しないように制御することを特徴とするものである。
【手続補正１３】
【補正対象書類名】明細書
【補正対象項目名】００１４
【補正方法】変更
【補正の内容】
【００１４】
この第６の発明では、電話番号格納手段に格納されている受信を拒否する相手先からの通信であった場合にはその受信を自動的に拒否することができ、例えば以前にいたずらで通信してきた相手先と同一であった場合に受信を拒否することができる。
【手続補正１４】
【補正対象書類名】明細書
【補正対象項目名】００１５
【補正方法】変更
【補正の内容】
【００１５】
第７の発明は、第１乃至５のいずれかの発明の構成に加え、前記制御手段は、受信動作を制限することで通信しないように制御することを特徴とするものである。
【手続補正１５】
【補正対象書類名】明細書
【補正対象項目名】００１６
【補正方法】変更
【補正の内容】
【００１６】
この第７の発明では、受信を拒否する相手先からの受信であった場合には、その受信を自動的に拒否することができ、例えば、以前にいたずらで通信してきた相手と同一であった場合に受信を拒否することができる。したがって、受信の拒否を確実に実行することができ、便宜性をより向上させることができる。
【手続補正１６】
【補正対象書類名】明細書
【補正対象項目名】００１７
【補正方法】変更
【補正の内容】
【００１７】
第８の発明は、第１乃至７のいずれかの発明の構成に加え、電話番号を入力する入力手段を備え、前記入力手段によって入力された電話番号を前記電話番号格納手段に格納することを特徴とするものである。
この第８の発明では、通信をしないようにする相手先の電話番号を予め入力手段から入力して電話番号格納手段に格納するので、入力された電話番号と同一の電話番号からの通信をしないようにすることができる。
【手続補正１７】
【補正対象書類名】明細書
【補正対象項目名】００１８
【補正方法】変更
【補正の内容】
【００１８】
第９の発明は、第１乃至８のいずれかの発明の構成に加え、前記電話番号受信手段によって受信した電話番号を表示する表示手段を備えたことを特徴とするものである。
【手続補正１８】
【補正対象書類名】明細書
【補正対象項目名】００１９
【補正方法】変更
【補正の内容】
【００１９】
この第９の発明では、電話番号受信手段によって受信した電話番号を表示手段に表示させるので、オペレータがその相手先電話番号を確認することができる。
第１０の発明は、第１乃至９のいずれかの発明の構成に加え、発呼側の通信種別情報を受信する情報受信手段とを備え、前記情報受信手段によって受信した通信種別情報に基づいて装置の動作を制御することを特徴とするものである。
この第１０の発明では、情報受信手段によって受信した通信種別情報に基づいて装置の動作を制御することができるので、例えば、通話機能およびファクシミリ機能を利用する場合でも、その受信を開始することができる。
【手続補正１９】
【補正対象書類名】明細書
【補正対象項目名】００２０
【補正方法】変更
【補正の内容】
【００２０】
ここで、前記電話番号格納手段に格納された電話番号や前記電話番号記憶手段に記憶された電話番号は、前記表示手段に表示可能に構成してもよく、さらにその電話番号を前記入力手段により変更／消去したり入力できるように構成してもよい。
なお、発呼側情報や端末情報としては、電話番号に限らず、他の識別番号や識別情報であってもよい。
【手続補正２０】
【補正対象書類名】明細書
【補正対象項目名】００２１
【補正方法】変更
【補正の内容】
【００２１】
第１の発明によれば、通信をしないようにする例えば、電話番号などの端末情報を登録しておくことにより、発ＩＤサービスにより送信されてきた発呼側情報の電話番号が前記電話番号格納手段に格納されている電話番号であるときにはその通信が行われないようにする。したがって、通信を拒否する相手先からであった場合にはその通信を自動的に拒否することができる。
【手続補正２１】
【補正対象書類名】明細書
【補正対象項目名】００２２
【補正方法】変更
【補正の内容】
【００２２】
第２の発明によれば、電話番号受信手段によって受信した電話番号を電話番号格納手段に格納するので、通信を拒否する発呼側情報の電話番号を自動的に電話番号格納手段に格納することができる。
【手続補正２２】
【補正対象書類名】明細書
【補正対象項目名】００２３
【補正方法】変更
【補正の内容】
【００２３】
第３の発明によれば、電話番号記憶手段に記憶されている電話番号を電話番号格納手段に格納するので、通信を拒否する発呼側情報の電話番号を自動的に電話番号格納手段に格納することができる。
【手続補正２３】
【補正対象書類名】明細書
【補正対象項目名】００２４
【補正方法】変更
【補正の内容】
【００２４】
第４の発明によれば、サービスにより受信した発呼側情報およびその所定の条件の情報が対応されて格納され、所定の条件が満足した場合にはその発呼側情報が通信をしないようにする端末情報として登録される。したがって、所定の条件が満足した場合には拒否する相手先として自動登録される。
【手続補正２４】
【補正対象書類名】明細書
【補正対象項目名】００２５
【補正方法】変更
【補正の内容】
【００２５】
第５の発明によれば、サービスにより受信した発呼側情報およびその中断情報が対応されて格納され、中断回数が予め設定されている設定回数に達したときにはその発呼側情報が端末情報として登録される。したがって、中断実績のある端末は通信をしないようにする相手先として自動登録される。
【手続補正２５】
【補正対象書類名】明細書
【補正対象項目名】００２６
【補正方法】変更
【補正の内容】
【００２６】
第６の発明によれば、電話番号格納手段に格納されている受信を拒否する相手先からの通信であった場合にはその受信を自動的に拒否することができ、例えば以前にいたずらで通信してきた相手先と同一であった場合に受信を拒否することができる。
【手続補正２６】
【補正対象書類名】明細書
【補正対象項目名】００２７
【補正方法】変更
【補正の内容】
【００２７】
第７の発明によれば、受信を拒否する相手先からの受信であった場合には、その受信を自動的に拒否することができ、例えば、以前にいたずらで通信してきた相手と同一であった場合に受信を拒否することができる。したがって、受信の拒否を確実に実行することができ、便宜性をより向上させることができる。
【手続補正２７】
【補正対象書類名】明細書
【補正対象項目名】００２８
【補正方法】変更
【補正の内容】
【００２８】
第８の発明によれば、通信をしないようにする相手先の電話番号を予め入力手段から入力して電話番号格納手段に格納するので、入力された電話番号と同一の電話番号からの通信を拒否することができる。
【手続補正２８】
【補正対象書類名】明細書
【補正対象項目名】００２９
【補正方法】変更
【補正の内容】
【００２９】
第９の発明によれば、電話番号受信手段によって受信した電話番号を表示手段に表示させるので、オペレータがその相手先電話番号を確認することができる。
第１０の発明によれば、情報受信手段によって受信した通信種別情報に基づいて装置の動作を制御することができるので、例えば、通話機能およびファクシミリ機能を利用する場合でも、その受信を開始することができる。